(57)【要約】      （修正有）【課題】従来の洗浄材はブラッシング材、研布材などに洗剤又は水等を含ませ洗浄するものである。このため洗浄性が悪く、また洗浄剤の寿命が短く頻繁なる交換が必要で、維持費が高価なものとなっている。また洗浄装置も、洗浄物の詰りなどが頻繁に発生していた。【解決手段】入口シュート８から投入された被洗浄物７は洗浄用回転ドラム内にて、スパイラル状送りフイン３で移送されながら、小突起物４で攪拌、分離しつつ、ノズル６より噴射される高温高圧洗浄水にて洗浄される。洗浄された被洗浄物７は乾燥用回転ドラムにシュート１８を介して投入され、スパイラル状送りフイン１３にて移送されながら小突起物１４にて分離、攪拌された被洗浄物７は、遠心分離にて脱水乾燥される。蒸気はフアンＦにより冷却器Ｃに送られて冷却され液と乾き空気に分けられる。液は洗浄液として再利用し、乾き空気は装置外に排出される。【選択図】図１
2008253973.tif 000002
【特許請求の範囲】
【請求項１】
１つの回転共軸を軸とする、ほぼ円筒状の洗浄用回転ドラムと、これに連接して、先端部を先細状に縮径した水切り用回転ドラムを形成すると共に、内周面に連続するスパイラル状送りフインを形成する。回転軸上で洗浄用回転ドラムと水切り用回転ドラムを回転させ、スパイラル状送りフインによって被洗浄物を移動させる駆動装置を有し、内面に洗浄液噴射用ノズルを構成する。またほぼ円筒状の乾燥用回転ドラムの内周面にスパイラル状送りフインを形成する。回転軸上で乾燥用回転ドラムを、洗浄液を遠心分離可能なまでに、高速に回転させ、スパイラル状送りフインにて、洗浄物を移動させながら水分を除去して乾燥させる乾燥用回転ドラム。これら洗浄用回転ドラムと乾燥用ドラムをシュート又は直接に結合させて、洗浄及び乾燥を行う洗浄装置
【請求項２】
乾燥用回転ドラムは、高速回転及び低速回転を繰り返して、洗浄物の遠心分離乾燥を行うことを特徴とする請求項１記載の洗浄装置。
【請求項３】
乾燥用回転ドラムに穴あき材を使用して、乾燥性を高めたことを特徴とする請求項１記載の洗浄装置。
【請求項４】
洗浄用回転ドラム内部に、洗浄物付着の汚れ除去及び滅菌作用可能な、高温高圧水を洗浄液とし、これらを噴射させるノズルを形成することを特徴とした請求項１に記載の洗浄装置。
【請求項５】
洗浄液に香料を付加して、洗浄後の製品の清浄性、品格を高めることを特徴とすることを特徴とした請求項１に記載の洗浄装置。
【請求項６】
洗浄時に発生する蒸気を、集合させて冷却し、水と乾燥空気に分離し、水を洗浄装置に戻し、洗浄液として再利用し、乾燥空気のみを装置外に排出する。洗浄液のリサイクル性を高めると時に、装置外機器に湿度による悪影響を及ぼさなくしたことを特徴とする請求項１記載の洗浄装置。
【請求項７】
洗浄用回転ドラム及び乾燥用回転ドラムの、内周面およびにスパイラル状送りフインの一部に、小突起部を設けて、被洗浄物の攪拌及び分離を容易にして、洗浄性及び乾燥性を向上させることを特徴とした請求項１記載の洗浄装置。
【請求項８】
洗浄時に発生する蒸気を、加熱して乾き蒸気として、乾燥用回転ドラム内に構成するノズルから噴射させて、洗浄物を乾燥させると同時に、蒸気を外部に排出させないことを特徴とする請求項１記載の洗浄装置。
【請求項９】
洗浄後の洗浄水の戻り口に、濾材をおき、洗浄水の汚れを除去することな特徴とした請求項１記載の洗浄装置。
【発明の詳細な説明】
【技術の分野】
【０００１】    本発明は、例えばゲーム機用コイン、金属ボール、プラスチック部品及び食器などの被洗浄物を洗浄するために用いられる洗浄に関する。
【０００２】    一般に人間が手先などで保持し使用した部品には、脂肪分、有害な細菌及び塵埃などが付着している。これを除去するために各種洗浄装置が用いられる。
【０００３】    従来の洗浄装置は、ブラッシング材あるいは研布材などで摩擦して被洗浄物を洗浄している。このため汚物除去性の効率が悪く、滅菌性もなくかつブラッシング材および研布材の寿命も短いため頻繁なる交換が必要である。
【０００４】    また本出願の発明者（出願人）は、洗浄用回転ドラムとこれに連接して水切り用回転ドラムとを備え、水切り用回転ドラムを先細状に縮径化して形成すると共に、内周面にスパイラル状送りフインを形成し、同様に内周面にスパイラル状送りフインを形成した乾燥用回転ドラムをも構成し、これら洗浄用回転ドラム及び水切り用回転ドラムと乾燥用回転ドラムを水平共軸そって配置したことを特徴とした洗浄装置を開発している。（特許第３４４６０２９号公報）
【０００５】    この従来の洗浄装置によれば、一体的に構成された洗浄用回転ドラム、水切り用回転ドラム及び乾燥用回転ドラム内を、洗浄物が順次送られる際、洗浄物はドラム内周面に設けた小突起物により攪拌、分離を繰り返しながら搬送される間に洗浄が行われる。これによりコンパクトな構成でありながら一連の工程が効率よく一括処理されるだけでなく高い洗浄性が発揮できる。
【０００６】
【特許文献】特許３４４６０２９号
【発明の開示】
【発明が解決しようとする課題】
【０００７】  従来の洗浄に用いられる洗浄材はブラッシング材、研布材などに洗剤又は水などを含ませ洗浄するものである。このため洗浄性が悪く、またブラッシング材、研布材などの寿命が短く頻繁なる交換が必要で、維持費が高価なものとなっている。【０００８】  また洗浄装置も洗浄方式の特性から、洗浄物の詰りなどが頻繁に発生していた。【０００９】  従来の例［特許文献２］は、優れたインライン方式の洗浄装置であるが、主に鉱物加工油除去を主たる目的としたものである。したがって人脂肪分などの汚れを除去には効率が良くないなどの課題がある。【００１０】  本発明は上記の課題を解決しようとするものである。被洗浄物に、高温、高圧水を照射して、油分、人脂肪分、塵埃及び細菌を効率よく除去する洗浄装置を提供することを目的とする。【００１１】  本発明の洗浄装置は、洗浄用回転ドラムとこれに連接して水切り用回転ドラムを形成し、内周面にスパイラル状送りフインを形成する。これを共軸に沿って回転させる。内部に、外部から供給された洗浄水を昇温させる加熱器と、前記加熱器によって昇温された高温水を高圧に加圧して、前記洗浄容器内の被洗浄物に噴射させる複数のノズルとを備える。高温水を高圧により噴射させて、洗浄物に付着した油分、人脂肪分、細菌及び塵埃などを効率よく除去する。乾燥用回転ドラムとこの内周面にもスパイラル状送りフインを形成する。これを共軸にそって高速回転して水分を除去する。洗浄物に付着した水分は、高温による自己保有熱、遠心力及び高温による洗浄水の表面張力低下などにより、効率よく除去され乾燥する。この乾燥用回転ドラムはシュートあるいは直結などで洗浄用回転ドラムに連接される。また洗浄水内に香料を付加すれば、洗浄物の洗浄後の清浄感向上などの付加価値が高まる。本洗浄装置をほぼ密閉なる容器に納めて、蒸気を冷却して液化し洗浄水として再利用する。排出される空気はほぼ乾燥状態にあり、外部機器に悪影響を及ぼさないことを特徴としたものである。【００１２】  前記乾燥用回転ドラムドラム材料に穴あき材を使用しても良い。【００１３】  前記乾燥用回転ドラムは高速回転とし、被洗浄物の移動をスムースにするため高速回転、低速回転を繰り返しても良い。また高速回転のみでも良い。【００１４】  本発明によれば、洗浄用回転ドラムと乾燥用回転ドラムが別設置なので、設置自由度が高く、装置の小型化が図れる。【００１５】  また洗浄水を、洗浄物に付着した油分、人脂肪分などを除去可能なまでに粘度を低下させるまでに昇温させ、洗浄物に高圧で噴射させるので、洗浄物に付着した汚れは、確実に洗浄され且つ細菌なども除去される。健康的で衛生的な洗浄物が提供できる。【００１６】  またブラッシング材あるいは研布材など消耗品がないので、低コストで保守の必要がない洗浄装置とすることが出来る。【００１７】  洗浄液は市水のみを使用できるので安価である。
【発明を実施するための最良の形態】
【００１８】  以下、本発明の実施形態の例として図面を参照して説明する。図１は本発明の第１の実施形態例に係わる洗浄装置の構成を示す説明図である。【００１９】  図１に示すように、本発明の第１の実施形態例に係わる洗浄装置は、洗浄物７の入り口シュート８と出口シュート２５、洗浄用回転ドラム１、水切り用回転ドラム２、連結シュート１８、及び乾燥用回転ドラム１１より構成する。【００２０】  洗浄用回転ドラム１これと連接する水切り用回転ドラム２、これらに内接してスパイラル状送りフイン３を形成し、これら内部に小突起物４を有する。また内部に高温、高圧洗浄水を噴射するノズル筒５及びノズル６を構成する。【００２１】  乾燥用回転ドラム１１とこれに内接してスパイラル状送りフイン１３形成し、これら内部に小突起物１３を有する。また蒸気を乾燥蒸気として噴射する、ノズル筒１６およびノズル１７を構成する。【００２２】  洗浄用回転ドラム１及び水切り用回転ドラム２と乾燥用回転ドラム１１はシュート１８で連結される。【００２３】  洗浄用回転ドラム１は歯車１０Ａ及び１０Ｂを介してモータ９で回転される。洗浄物７はスパイラル状送りフイン３にて移送中に、小突起物４により洗浄物攪拌、分離される。【００２４】  洗浄水２４はタンク２９内の加熱器Ｈで昇温され、ポンプＰで高圧移送中に加熱装置ＨＷでさらに高温に加熱されて、ノズル筒５を介してノズル６から高温、高圧洗浄液として噴射、洗浄物７を洗浄する。【００２５】  洗浄された洗浄物７は、シュート１８により乾燥用回転ドラムに移送される。【００２６】  乾燥用回転ドラム１１は、歯車２８Ａ、２８Ｂを介してモータ２７で高速に回転される。回転は高速回転のみでも良く、またさらに高速化されて被洗浄物７が、ドラムに押し付けられて移送できないときは、高速回転、低速回転を交互に繰り返すし被洗浄物７を移送する。洗浄物７は遠心分離乾燥される。【００２７】  蒸気の一部は送風機Ｆ２で加熱器ＨＡにて加熱され、乾燥蒸気として、ノズル１７から噴射されて、被洗浄物７の乾燥に供給される。【００２８】  また蒸気の一部は、送風機Ｆ１で冷却装置Ｃに送られて冷却され、液化され水に還元されてタンク２９に戻されて、洗浄水として再利用される。乾燥した空気は大気中に放出される。乾燥空気として放出されるので、周辺電子機器に影響を及ぼさない。【００２９】  洗浄した洗浄液２６は、フィルター２０で濾過されてタンク２９に戻される。【００３０】  洗浄液２４は、市水などの水でよいため、環境汚染防止に寄与するばかりでなく、消耗品がないので、低コスト洗浄が出来る。【００３１】  洗浄水の温度は好ましくは１２０℃であるが、８０℃以上でも差し支えがない。圧力は０．１メガパスカル以上である。【００３２】  洗浄水は、高温高圧なので、滅菌作用があり、洗浄後の被洗浄物の衛生状態が良く、さらに洗浄水に香料を付加すれば、さらに清浄感がます。香料は、例えばジャスミン、ラベンダーなどユーザ好みの香料を付加する。【００３３】  本発明は、上記の実施形態に限定されることなく、特許請求の範囲に記載された技術的事項の範囲内で、種々変更が可能である。【００３４】  例１  洗浄用回転ドラム１及び水切り用回転ドラム２に穴あき材料を使用する。また水切り用回転ドラムは先細状でなく円筒状でも良い。【００３５】  例２  洗浄用回転ドラム１を傾斜台に設置しても良い。【００３６】  例３  乾燥用回転ドラム１１を先細状に縮径する。【００３７】  例３  洗浄用回転ドラム１とこれに連接する水切り用回転ドラム２と乾燥用回転ドラム１１は同一軸上にシュートを介して配置しても良い。
【図面の簡単な説明】
【００３８】
【図１】本発明の第１の実施形態例に係わる洗浄装置を示す説明図である。
【図２】洗浄用回転ドラム、水切り用回転ドラム及び乾燥用回転ドラムを直結させた洗浄装置の変形例図である。
【図３】洗浄用回転ドラムとこれに連接した水切り用回転ドラムと乾燥用回転ドラムをシュートで結合した洗浄装置の変形例である。
【符号の簡単な説明】
【００３９】１．  洗浄用回転ドラム
２．  水切り用回転ドラム
３．  スパイラル状送りフイン
４．  小突起物
５．  ノズル筒
６．  ノズル
７．  被洗浄物
８．  入口シュート
９．  洗浄筒回転モータ
１０Ａ．  歯車
１０Ｂ．  歯車
１１．  乾燥用回転ドラム
１３．  スパイラル状送りフイン
１４．  小突起物
１６．  ノズル筒  乾燥用
１７．  ノズル
１８．  シュート
２０．  フィルター
２１  全体容器
２４．  洗浄水
２５．  出口シュート
２６．  洗浄用回転ドラム内洗浄液
２７．  乾燥筒回転モータ
２８Ａ．  歯車
２８Ｂ  歯車
２９．  タンク
Ｐ．  ポンプ
ＨＷ．  洗浄水加熱器
Ｆ１  送風機
Ｆ２  送風機
ＨＡ．  蒸気加熱器
Ｃ．  蒸気冷却器
Ｈ．  加熱器
【図１】
2008253973.tif 000003
【図２】
2008253973.tif 000004
【図３】
2008253973.tif 000005